(57)【特許請求の範囲】
【請求項１】
造営面に取り付けられる箱体を備え、
前記箱体は、配線器具に接続される電線が収納される収納部を有し、
前記箱体には、前記配線器具に前記電線が接続されるように当該電線が挿通される挿通部が形成され、
前記箱体は、
前記配線器具に設けられたパッキンが取り付けられるパッキン取付部と、
前記造営面に取り付けるための取付部を含み背面側に設けられたベース部と、
各々が前記配線器具を固定する複数の器具固定部を含み前記ベース部とは別体のカバー部とを有し、
前記パッキン取付部は、前記挿通部の周囲に設けられ、
前記ベース部および前記カバー部は、当該ベース部と当該カバー部とを接合するねじ取付部を含み、
前記ねじ取付部は、前記パッキン取付部の内側に設けられている
ことを特徴とする露出ボックス。
【請求項２】
前記複数の器具固定部に固定される前記配線器具は、コンセントと、当該コンセントの通電のオンオフを切り替えるスイッチとであることを特徴とする請求項１記載の露出ボックス。
【請求項３】
前記箱体は、前記電線を外部から前記収納部へ引き込むために当該箱体の背面に設けられた第１の電線引き込み部と、前記電線を外部から前記収納部へ引き込むために当該箱体の前記背面とは異なる他の面に設けられた第２の電線引き込み部とを有することを特徴とする請求項１または２記載の露出ボックス。
【請求項４】
前記ベース部は、前記第１の電線引き込み部および前記第２の電線引き込み部を含むことを特徴とする請求項３記載の露出ボックス。
【請求項５】
前記箱体の少なくとも上面に設けられ、前記コンセントに差し込まれるプラグに接続されているケーブルが巻かれる保持部を備えることを特徴とする請求項２記載の露出ボックス。
【請求項６】
前記ベース部は、前記第１の電線引き込み部を複数有するとともに、前記第１の電線引き込み部の各々の周囲に、当該ベース部と前記造営面との間に挿入されるパッキンが取り付けられる背面側パッキン取付部を有することを特徴とする請求項３または４記載の露出ボックス。
【請求項７】
前記配線器具は、当該配線器具を前記箱体に固定するための一対の取付孔が上下方向に形成された取付枠を有し、
前記複数の器具固定部の各々は、前記箱体において上下方向に設けられ前記取付枠の前記取付孔とともにねじが挿通される一対の孔部であり、前記配線器具を露出して固定する
ことを特徴とする請求項１〜６のいずれか１項に記載の露出ボックス。
【請求項８】
請求項１〜７のいずれか１項に記載の露出ボックスと、
前記露出ボックスに固定される複数の配線器具と
を備えることを特徴とする配線装置。
【発明の詳細な説明】
【技術分野】
【０００１】
本発明は、配線器具を露出して造営面に取り付けるために用いられる露出ボックスおよびそれを用いた配線装置に関する。
【背景技術】
【０００２】
従来から、家屋の外壁などに取り付けられる屋外用の配線器具が種々知られている。近年では、電気自動車（ＥＶ：ElectricVehicle）またはプラグインハイブリッド自動車（ＰＨＥＶ：Plug-in Hybrid ElectricVehicle）の充電用コンセントの需要が高まっており、上記コンセントについて種々市販され開発されている（例えば特許文献１参照）。
【０００３】
このような配線器具が屋外に取り付けられる際、外部電源と配線器具との間を電気的に接続するための電線が収納される露出ボックスが用いられる。図１２は、電気自動車の充電用コンセント９４１とスイッチ９４２とを配線器具９４として用いる場合の従来の配線装置９を示す。図１２に示す従来の配線装置９は、コンセント９４１を固定する第１のボックス９１と、スイッチ９４２を固定する第２のボックス９２とを備え、第１のボックス９１と第２のボックス９２との間には、内部を電線（図示せず）が通っている配管９３が設けられている。
【先行技術文献】
【特許文献】
【０００４】
【特許文献１】特開２０１１−８１９６２号公報
【発明の概要】
【発明が解決しようとする課題】
【０００５】
しかしながら、図１２に示すような２つのボックス（第１のボックス９１、第２のボックス９２）を備える従来の配線装置９では、施工の際に、第１のボックス９１と第２のボックス９２との間の距離と配管９３の長さとを合わせる必要があるため、施工の手間がかかるという問題があった。また、従来の配線装置９では、第１のボックス９１と第２のボックス９２との間に設けられた配管９３が露出しているため、デザイン性を損なうという問題もあった。
【０００６】
本発明は上記の点に鑑みて為された発明であり、本発明の目的は、複数の配線器具が造営面に設置される際に、施工を容易にするとともにデザイン性を損なわない露出ボックスおよびそれを用いた配線装置を提供することにある。
【課題を解決するための手段】
【０００７】
本発明の露出ボックスは、造営面に取り付けられる箱体を備え、前記箱体は、配線器具に接続される電線が収納される収納部を有し、前記箱体には、前記配線器具に前記電線が接続されるように当該電線が挿通される挿通部が形成され、前記箱体は、前記配線器具に設けられたパッキンが取り付けられるパッキン取付部と、前記造営面に取り付けるための取付部を含み背面側に設けられたベース部と、各々が前記配線器具を固定する複数の器具固定部を含み前記ベース部とは別体のカバー部とを有し、前記パッキン取付部は、前記挿通部の周囲に設けられ、前記ベース部および前記カバー部は、当該ベース部と当該カバー部とを接合するねじ取付部を含み、前記ねじ取付部は、前記パッキン取付部の内側に設けられていることを特徴とする。
【０００８】
この露出ボックスにおいて、前記複数の器具固定部に固定される前記配線器具は、コンセントと、当該コンセントの通電のオンオフを切り替えるスイッチとであることが好ましい。
【００１０】
この露出ボックスにおいて、前記箱体は、前記電線を外部から前記収納部へ引き込むために当該箱体の背面に設けられた第１の電線引き込み部と、前記電線を外部から前記収納部へ引き込むために当該箱体の前記背面とは異なる他の面に設けられた第２の電線引き込み部とを有することが好ましい。
【００１１】
この露出ボックスにおいて、前記ベース部は、前記第１の電線引き込み部および前記第２の電線引き込み部を含むことが好ましい。
【００１２】
この露出ボックスにおいて、前記箱体の少なくとも上面に設けられ、前記コンセントに差し込まれるプラグに接続されているケーブルが巻かれる保持部を備えることが好ましい。
【００１５】
この露出ボックスにおいて、前記ベース部は、前記第１の電線引き込み部を複数有するとともに、前記第１の電線引き込み部の各々の周囲に、当該ベース部と前記造営面との間に挿入されるパッキンが取り付けられる背面側パッキン取付部を有することが好ましい。
【００１６】
この露出ボックスにおいて、前記配線器具は、当該配線器具を前記箱体に固定するための一対の取付孔が上下方向に形成された取付枠を有し、前記複数の器具固定部の各々は、前記箱体において上下方向に設けられ前記取付枠の前記取付孔とともにねじが挿通される一対の孔部であり、前記配線器具を露出して固定することが好ましい。
【００１７】
本発明の配線装置は、前記露出ボックスと、前記露出ボックスに固定される複数の配線器具とを備えることを特徴とする。
【発明の効果】
【００１８】
本発明では、複数の配線器具が造営面に設置される際に、複数の配線器具を１つの箱体に固定することができるので、複数の配線器具を別々のボックスに固定する場合とは異なり、ボックス同士を連結する作業を省くことができる。また、本発明では、内部に電線が通っている配管が露出することがないため、デザイン性を損なわない。
【図面の簡単な説明】
【００１９】
【図１】実施形態１に係る露出ボックスであって、（ａ）は外観斜視図、（ｂ）は分解斜視図である。
【図２】同上に係る露出ボックスであって、（ａ）は正面図、（ｂ）は上面図、（ｃ）は下面図、（ｄ）は側面図、（ｅ）は背面図である。
【図３】同上に係る配線装置の外観斜視図である。
【図４】同上に係るコンセントの外観斜視図である。
【図５】同上に係るスイッチの外観斜視図である。
【図６】同上に係る配線装置の施工手順を示す斜視図である。
【図７】同上に係る配線装置の配線図である。
【図８】同上に係る配線装置の変形例の外観斜視図である。
【図９】同上に係る配線装置の他の変形例の外観斜視図である。
【図１０】同上に係る配線装置の他の変形例の外観斜視図である。
【図１１】実施形態２に係る配線装置であって、（ａ）は外観斜視図、（ｂ）はケーブルが保持部に巻かれている状態の側面図である。
【図１２】従来の配線装置の外観斜視図である。
【発明を実施するための形態】
【００２０】
以下の実施形態１，２では、造営面に取り付けられる露出ボックスおよびそれを用いた配線装置について説明する。各実施形態では、電気自動車またはプラグインハイブリッド自動車の充電用として用いられる場合について説明する。ただし、各実施形態の配線装置は、電気自動車またはプラグインハイブリッド自動車の充電用として用いられることに限定されず、さまざまな用途に用いられる。
【００２１】
（実施形態１）
実施形態１に係る配線装置１は、図３に示すように、露出ボックス２と、露出ボックス２に固定された２台の配線器具４，４とを備えている。本実施形態の配線器具４は、一方がコンセント４１であり、他方がコンセント４１の通電のオンオフを切り替えるスイッチ４２である。なお、下記の説明中に記載する上下左右および前後の向きは、それぞれ図中に示した直交座標の向きに対応する。
【００２２】
露出ボックス２は、図１に示すように、壁面７（図６参照）に取り付けられる１つの箱体３を備え、箱体３は、背面側（後側）に設けられたベース部３１と、ベース部３１とは別体のカバー部３２とを備えている。箱体３には、ベース部３１とカバー部３２とによって、各配線器具４と外部電源８とを電気的に接続するための電線６（図７参照）が収納される収納部３３が形成されている。箱体３は、壁面７に対し、ベース部３１の長手方向を上下方向（鉛直方向）とするように取り付けられる。
【００２３】
ベース部３１は、例えば合成樹脂成形品であり、矩形状の背面部３１１と、背面部３１１の下端から前方に突出して設けられた下面部３１２とを一体に備えている。
【００２４】
背面部３１１には、壁面７（図６参照）に箱体３をねじ止めするための複数の取付部３１３，３１３，……が形成されている。各取付部３１３の形状は、横長であるか縦長であるかのいずれかであり、幅が取付ねじ（図示せず）の軸部の径より長く取付ねじの頭部の径よりも短く形成されている。
【００２５】
ベース部３１の前面側には、背面部３１１から前方に突出して設けられた複数（図示例では８つ）のねじ取付部３１４，３１４，……が設けられている。各ねじ取付部３１４は、ベース部３１とカバー部３２とを接合するために設けられ、ねじ穴３１５が形成されている。各ねじ穴３１５は、背面側に貫通していてもよいし、背面側に貫通していなくてもよい。さらに、ベース部３１の前面側には、背面部３１１の上側および左右の周囲に沿って前方に突出する突出壁３１６と、突出壁３１６および下面部３１２で囲まれた領域を複数の小領域に区切るように前方に突出する複数（図示例では５つ）の仕切壁３１７，３１７，……とが一体に設けられている。
【００２６】
また、背面部３１１には、電線６（図７参照）を外部から収納部３３へ引き込むための第１の電線引き込み部となる複数（図示例では２つ）の第１の引込用ノックアウト部３１８，３１８が形成されている。背面部３１１の背面側には、図２に示すように、第１の電線引き込み部となる各第１の引込用ノックアウト部３１８の周囲にベース部３１と壁面７との間に挿入されるパッキン３５が取り付けられる背面側パッキン取付部３１９が設けられている。
【００２７】
下面部３１２には、図２に示すように、電線６を外部から収納部３３へ引き込むための第２の電線引き込み部となる第２の引込用ノックアウト部３４１が形成されている。
【００２８】
図１に示すカバー部３２は、後方に開口した箱状に形成された合成樹脂成形品であり、矩形状の正面部３２１と、正面部３２１の両端から後方に延びて設けられた２つの側面部３２２，３２２と、正面部３２１の上端から後方に延びて設けられた上面部３２３とを一体に備えている。
【００２９】
正面部３２１には、配線器具４に電線６が接続されるように電線６が挿通される２つの開口（挿通部）３２４，３２４が長手方向に形成されている。また、正面部３２１には、配線器具４に設けられたパッキン４１５，４２５が取り付けられるパッキン取付部３２５，３２５が開口３２４，３２４の周囲に設けられている。すなわち、開口３２４を囲むようにパッキン４１５，４２５が取り付けられる。さらに、カバー部３２は、ベース部３１とカバー部３２とを接合する複数（図示例では８つ）のねじ取付部３２６，３２６，……をパッキン取付部３２５の内側に備えている。取付ねじ３７がねじ取付部３１４，３２６に挿通されることによって、カバー部３２がベース部３１に取り付けられる。
【００３０】
また、正面部３２１の各開口３２４の上縁において左右方向（水平方向）の中央部から下方へ延びて前後に開口した筒状の器具固定部３２７が設けられている。器具固定部３２７には、取付枠４１６，４２６の取付孔４１８，４２７（図７参照）とともに取付ねじ（図示せず）が挿通される孔部３２９が形成されている。また、正面部３２１の各開口３２４の下縁において左右方向の中央部から上方へ延びて前後に開口した筒状の器具固定部３２８が設けられている。器具固定部３２８には、取付枠４１６，４２６の取付孔４１８，４２７とともに取付ねじが挿通される孔部３２９が形成されている。これにより、配線器具４を露出して固定することができる。すなわち、カバー部３２の正面部３２１には器具固定部３２７，３２８の組み合わせが２組存在し、２組の組み合わせの各々が配線器具４を固定する。なお、器具固定部３２７の孔部３２９と器具固定部３２８の孔部３２９との間の距離は、予め規定された間隔である。
【００３１】
次に、本実施形態の配線器具４について説明する。図４に示すコンセント４１は、電気自動車またはプラグインハイブリッド自動車の充電に用いられる屋外用コンセントである。
【００３２】
コンセント４１は、ボディ４１１と、ボディ４１１の下面から３つの栓刃挿入口４１７，４１７，４１７を露出させた状態でボディ４１１に収納されるコンセントブロック４１２と、ボディ４１１の前面、側面および上面を覆う化粧カバー４１３と、半円状のコンセントカバー４１４とを備えている。コンセントカバー４１４は、ボディ４１１の下面から露出した栓刃挿入口４１７，４１７，４１７を覆うように、ボディ４１１に対して回動自在に支持されている。化粧カバー４１３は、中空状に形成された合成樹脂成形品であり、ボディ４１１の上面、前面および側面を覆ってボディ４１１に着脱自在に固定される。また、ボディ４１１の後面はパッキン４１５および取付枠４１６で覆われている。
【００３３】
栓刃挿入口４１７，４１７，４１７は、前方に向かうにつれて鉛直方向の上方に傾斜しており、プラグ４３（図３参照）の栓刃（図示せず）のうちの一対の電圧側栓刃および接地側栓刃が挿入される略長方形の一対の平型栓刃挿入口と、プラグ４３の栓刃のうちの接地極の栓刃が挿入される略半円状のピン型栓刃挿入口とにより構成されている。
【００３４】
また、コンセント４１は、図７に示すように、パッキン４１５と、取付枠４１６とを備えている。パッキン４１５は、例えば軟質塩化ビニルなどの弾性材料からなり、ボディ４１１の後方に取り付けられている。このパッキン４１５でボディ４１１と箱体３（図１参照）との間を密着することにより、ボディ４１１と箱体３との間から雨水などの水がコンセント４１の内部および箱体３の内部に浸入することを抑制している。このパッキン４１５の上端中央部および下端中央部には、コンセント４１を箱体３に取り付けるための取付ねじ（図示せず）が挿通される取付孔（図示せず）がそれぞれ形成されている。
【００３５】
取付枠４１６は、例えば金属または樹脂などで形成された部材であり、パッキン４１５の後方からこのパッキン４１５の内部に収納されて設けられている。取付枠４１６の上端中央部および下端中央部には、上述の取付ねじが挿通される取付孔４１８がそれぞれ形成されている。上端中央部の取付孔４１８と下端中央部の取付孔４１８との間の距離は、予め規定された間隔であり、器具固定部３２７の孔部３２９と器具固定部３２８の孔部３２９との間の距離と同じである。
【００３６】
上述のようにボディ４１１の後方にはパッキン４１５が設けられ、パッキン４１５の後方には、取付枠４１６が収納されている。図示しない２つの取付ねじを、ボディ４１１に形成された取付孔（図示せず）と、パッキン４１５に形成された取付孔（図示せず）と、取付枠４１６に形成された取付孔４１８とにそれぞれ挿通することで、コンセント４１と箱体３との間にパッキン４１５と取付枠４１６とが挟まれる態様で、それぞれの位置が維持されて露出ボックス２に固定される。
【００３７】
図５に示すスイッチ４２は、コンセント４１に差し込まれたプラグ４３（図３参照）と外部電源８（図７参照）との間の通電のオンオフを切り替える装置である。スイッチ４２は、両端間の通電のオンオフを切り替えるスイッチ本体４２１と、スイッチ本体４２１の前面に取り付けられて押操作される操作ハンドル４２２と、操作ハンドル４２２の周囲に設けられた枠体４２３と、枠体４２３に開閉自在に取り付けられた蓋部４２４とを備えている。さらに、スイッチ４２は、パッキン４２５と、スイッチ本体４２１が取り付けられた取付枠４２６（図７参照）とを備えている。
【００３８】
スイッチ本体４２１は、外部電源８からの電線６が一端に接続され、コンセント４１からの電線６が他端に接続されている。スイッチ本体４２１のオンオフによって、外部電源８とコンセント４１との間が通電状態になったり、絶縁状態になったりする。
【００３９】
図７に示す取付枠４２６は、例えば金属または樹脂などで形成された部材であり、スイッチ本体２２１が取り付けられている。取付枠４２６の上端中央部および下端中央部には、取付孔４２７がそれぞれ形成されている。上端中央部の取付孔４２７と下端中央部の取付孔４２７との間の距離は、予め規定された間隔であり、器具固定部３２７の孔部３２９と器具固定部３２８の孔部３２９との間の距離と同じである。各取付孔４２７に挿通される取付ねじ（図示せず）をカバー部３２の孔部３２９に締結することで、スイッチ４２と箱体３との間にパッキン４２５と取付枠４２６とが挟まれる態様で、スイッチ４２が箱体３に取り付けられる。
【００４０】
蓋部４２４には、蓋部４２４の施錠するロック機構部４２８が設けられている。これにより、他人が無断でスイッチ４２のオンオフを行うことを防止できる。
【００４１】
なお、スイッチ４２は、上記に限定されず、例えばＥＥスイッチなどセンサ機能を有するスイッチなどであってもよい。
【００４２】
次に、本実施形態に係る配線装置１の施工方法について図６を用いて説明する。まず、露出ボックス２のベース部３１を壁面７に取り付ける（図６（ａ）参照）。続いて、ベース部３１の下面部３１２の第２の引込用ノックアウト部３４１を打ち抜いて第２の電線引き込み部とし、第２の電線引き込み部から電線６を引き込む（図６（ｂ）参照）。その後、ベース部３１の前面側にカバー部３２を取り付ける（図６（ｃ）参照）。その後、第２の電線引き込み部から引き込んだ電線６を用いてコンセント４１およびスイッチ４２について配線し、コンセント４１およびスイッチ４２をカバー部３２に取り付ける（図６（ｄ）参照）。この際、カバー部３２には、正面部３２１の各開口３２４に配線器具４を保持する取付枠４１６，４２６がカバー部３２の開口３２４に跨る形で２本のビスによって器具固定部３２７，３２８の孔部３２９にねじ止めされる。なお、コンセント４１およびスイッチ４２についての配線は、図７に示すとおりである。
【００４３】
以上の説明より、本実施形態の露出ボックス２では、複数（２台）の配線器具４，４が造営面（壁面７）に設置される際に、複数の配線器具４，４を１つの箱体３に固定することができる。これにより、複数の配線器具４，４を別々のボックスに固定する場合とは異なり、ボックス同士を連結する作業を省くことができる。
【００４４】
また、本実施形態では、複数の配線器具４，４を別々のボックスに固定する場合とは異なり、内部に電線が通っている配管が露出することがないため、デザイン性を損なわない。
【００４５】
本実施形態では、箱体３として、ベース部３１とカバー部３２とが別体で設けられている。これにより、施工の際に、ベース部３１のみを先に造営面（壁面７）に取り付けた後、カバー部３２が取り付ける前に、前面側から電線６を引き込むことができるので、造営面への取付を容易にすることができる。
【００４６】
また、本実施形態の箱体３には、背面部３１１に第１の引込用ノックアウト部３１８，３１８が設けられ、下面部３１２および上面部３２３に第２の引込用ノックアウト部３４１，３４２が設けられている。これにより、電線６の引き込み方向の自由度を高めることができる。
【００４７】
さらに、本実施形態のベース部３１には、第１の引込用ノックアウト部３１８，３１８および第２の引込用ノックアウト部３４１が設けられている。これにより、施工の際に、ベース部３１だけを先に造営面（壁面７）に取り付けてから、電線６の引き込み方向を選択して電線６の引き込みを行うことができるので、造営面への取付を容易にすることができる。
【００４８】
本実施形態では、配線器具４のパッキン４１５，４２５が取り付けられるパッキン取付部３２５，３２５が開口３２４，３２４の周囲に設けられていることによって、開口３２４，３２４から水が浸入することを抑制できる。
【００４９】
また、本実施形態では、ねじ取付部３１４，……，３２６，……が背面側パッキン取付部３１９の内側に設けられていることによって、ねじ取付部３１４，……，３２６，……から水が浸入することを抑制できる。
【００５０】
本実施形態では、ベース部３１が複数の第１の引込用ノックアウト部３１８，３１８を備えている。これにより、造営面（壁面７）からの電線６の引き出し位置に関係なく、使用しやすい高さに箱体３を設置することができる。
【００５１】
また、第１の引込用ノックアウト部３１８の各々の周囲に、パッキン３５が取り付けられる背面側パッキン取付部３１９が設けられていることによって、第１の引込用ノックアウト部３１８から箱体３の内部への水の浸入を抑制することができる。この際に、電線６を引き込む位置に応じてパッキン３５の取付を変更することができる。
【００５２】
本実施形態では、配線器具４を取り付ける際に用いられる取付枠４１６，４２６によって、各配線器具４を共通の方法で箱体３に固定することができる。その結果、任意の組み合わせの配線器具４を箱体３に固定することができる。
【００５３】
また、本実施形態によれば、コンセント４１の通電をスイッチ４２によって手元でオンオフすることができるので、必要なときだけ上記通電が可能となり、安全性を高めることができる。
【００５４】
なお、露出ボックス２は、２つの配線器具４，４を固定することに限定されず３以上の配線器具４，４，……を固定することができるように器具固定部３２７，３２８を備えていてもよい。以下の実施形態２においても同様である。
【００５５】
また、露出ボックス２は、複数の配線器具４，４を上下方向に並べて固定するのではなく、図８に示すように、複数の配線器具４，４を左右方向に並べて固定してもよい。以下の実施形態２においても同様である。
【００５６】
さらに、配線装置１は、図９に示すように、露出ボックス２に固定される全ての配線器具４，４がコンセント４１，４１であってもよい。さらに、配線装置１は、図１０に示すように、露出ボックス２が複数の配線器具４，４を左右方向に並べて固定した状態で、全ての配線器具４，４がコンセント４１，４１であってもよい。以下の実施形態２においても同様である。
【００５７】
（実施形態２）
実施形態２に係る配線装置１は、図１１に示すように、ケーブル４４を保持する保持部（上側保持部材５、ベース部３１の下面部３１２）を露出ボックス２に備えている点で、実施形態１に係る配線装置１（図３参照）と相違する。なお、実施形態１の配線装置１と同様の構成要素については、同一の符号を付して説明を省略する。
【００５８】
本実施形態の露出ボックス２では、図１１に示すような上側保持部材５がカバー部３２の上面部３２３に接して設けられている。上側保持部材５は、先端側が斜め上方向に折り曲げられた板状の部材であり、一部が上面部３２３に接する基片５１と、基片５１の先端から斜め上方向に延びて設けられた先端片５２とを一体に備えている。また、上側保持部材５には、カバー部３２の第２の引込用ノックアウト部３４１に相当する位置に開口５３が形成されている。上側保持部材５は、カバー部３２の上面部３２３にねじ止めによって取り付けられる。
【００５９】
本実施形態のベース部３１の下面部３１２は、カバー部３２の正面部３２１の位置よりも前方に延びて設けられて先端側が斜め下方向に折り曲げられた形状を有し、基片３６１と、基片３６１の先端から斜め下方向に延びて設けられた先端片３６２とを一体に備えている。
【００６０】
上側保持部材５および下面部３１２には、図１１（ｂ）に示すように、コンセント４１に差し込まれたプラグ４３に接続されているケーブル４４が巻かれる。すなわち、上側保持部材５および下面部３１２は、保持部に相当する。
【００６１】
以上の説明より、本実施形態では、上側保持部材５および下面部３１２にケーブル４４が巻かれることによって、ケーブル４４を容易に保持することができる。これにより、ケーブル４４が地面などに放置されることがなくなる。
【００６２】
なお、本実施形態の変形例として、配線装置１は、保持部として上側保持部材５のみを備える構成であってもよい。
【００６３】
また、各実施形態において、配線装置１は、露出ボックス２と複数の配線器具４，４とを施工前に予め一体に備えていてもよい。これにより、施工の手間を省くことができる。
【符号の説明】
【００６４】
１  配線装置
２  露出ボックス
３  箱体
３１  ベース部
３１３  取付部
３１４  ねじ取付部
３１８  第１の引込用ノックアウト部（第１の電線引き込み部）
３１９  背面側パッキン取付部
３２  カバー部
３２４  開口（挿通部）
３２５  パッキン取付部
３２６  ねじ取付部
３２７，３２８  器具固定部
３２９  孔部
３３  収納部
３４１，３４２  第２の引込用ノックアウト部（第２の電線引き込み部）
３５  パッキン
４  配線器具
４１  コンセント
４１５  パッキン
４１６  取付枠
４１８  取付孔
４２  スイッチ
４２５  パッキン
４２６  取付枠
４２７  取付孔
４３  プラグ
４４  ケーブル
５  上側保持部材
【図１】
0005906409.tif 000002
【図２】
0005906409.tif 000003
【図３】
0005906409.tif 000004
【図４】
0005906409.tif 000005
【図５】
0005906409.tif 000006
【図６】
0005906409.tif 000007
【図７】
0005906409.tif 000008
【図８】
0005906409.tif 000009
【図９】
0005906409.tif 000010
【図１０】
0005906409.tif 000011
【図１１】
0005906409.tif 000012
【図１２】
0005906409.tif 000013